(57)【要約】【課題】単純な構成でありながら、点光源の有無に応じて多彩な表示性を有する表示物、ならびに当該表示物を備えたセキュリティ媒体、窓、および照明器具を提供する。【解決手段】表示物１０は、複数の表示領域１２、１３ａ〜１３ｃを備えている。互いに隣り合う表示領域は、平均色相、平均明度、および平均彩度のうち少なくとも１つが異なり、複数の表示領域１２、１３ａ〜１３ｃの組み合わせで第１表示対象２１が形成されるようになっている。少なくとも１つの表示領域１２、１３ａ〜１３ｃは、点光源から入射する光を第２表示対象の光像へ変換するフーリエ変換ホログラム２０Ｒ、２０Ｙを含む。【選択図】図１
2016085355.tif 000002
【特許請求の範囲】
【請求項１】
複数の表示領域を備え、
互いに隣り合う表示領域は、平均色相、平均明度、および平均彩度のうち少なくとも１つが異なり、前記複数の表示領域の組み合わせで第１表示対象が形成されるようになっており、
少なくとも１つの表示領域は、点光源またはレーザー光源から入射する光を第２表示対象へ変換するフーリエ変換ホログラムを含む
ことを特徴とする表示物。
【請求項２】
前記フーリエ変換ホログラムは、振幅型ホログラムである
ことを特徴とする請求項１に記載の表示物。
【請求項３】
前記表示領域の数は、３つ以上である
ことを特徴とする請求項１または２に記載の表示物。
【請求項４】
請求項１乃至３のいずれかに記載の表示物
を備えたことを特徴とするセキュリティ媒体。
【請求項５】
請求項１乃至３のいずれかに記載の表示物
を備えたことを特徴とする窓。
【請求項６】
請求項１乃至３のいずれかに記載の表示物
を備えたことを特徴とする照明器具。
【発明の詳細な説明】
【技術分野】
【０００１】
本発明は、点光源の有無に応じて多彩な意匠性を有する表示物に関する。また、本発明は、当該表示物を備えたセキュリティ媒体、窓、および照明器具に関する。
【背景技術】
【０００２】
ホログラムとは、波長の等しい２つの光（物体光および参照光）を干渉させて物体光の波面を干渉縞として感光材料に記録したものである。ホログラムに形成されるべき干渉縞のパターンは、現実の物体光と参照光を用いずに、予定した再生照明光の波長や入射方向、並びに、再生されるべき像の形状や位置等に基づき計算機を用いて設計されてもよい。このようにして得られたホログラムは、計算機合成ホログラム（ＣＧＨ：Computer Generated Hologram）とも呼ばれる。
【０００３】
これらのホログラムに元の参照光と同一条件の光を当てると干渉縞による回折現象が生じ、元の物体光と同一の波面が再生される。中でもフーリエ変換ホログラムは、点光源からの光照射により入射光が所定のイメージへ変換されて光像として発現するという特異な性質を有することから、新たな用途展開が検討されている（例えば、特許文献１および特許文献２参照）。
【０００４】
ところで、フーリエ変換ホログラムが面光源や線光源からの光の照射を受ける場合、上述のような入射光の変換が面光源や線光源全体にわたって起こる結果、本来は単一像として発現されるべき光像が面光源や線光源の形に沿って重畳してしまい、原画の情報を光像として発現することができない。つまり、点光源またはレーザー光源の無い場所において上記フーリエ変換ホログラムを備えた表示体等を用いる場合、フーリエ変換ホログラム上に光像が発現されないため、観察者は上記光像の情報を認識することができない。
【０００５】
また、透過型のフーリエ変換ホログラムにおいて上記光像を発現させるためには、フーリエ変換ホログラム自体に高い光透過性が求められる。そのため、フーリエ変換ホログラムにおいて発現される光像と異なり且つ点光源またはレーザー光源を必要とせずに表示可能な意匠等を表示体に付する場合、通常、フーリエ変換ホログラムと重ならない領域に印刷等として設ける必要がある。つまり、フーリエ変換ホログラム上においては、点光源またはレーザー光源からの光照射により発現される光像しか表示することができない。
【０００６】
このように、点光源またはレーザー光源からの光照射を受けない場合、フーリエ変換ホログラムは意匠性に乏しいものであるという問題がある。
【先行技術文献】
【特許文献】
【０００７】
【特許文献１】特開２００７−０１１１５６号公報
【特許文献２】特開２００７−０４１５４５号公報
【発明の概要】
【発明が解決しようとする課題】
【０００８】
本件出願人は、エンボスホログラム部と透明印刷部とが重なるように設けられた積層体を既に提案している（特願２０１３−１０４３９７）。この積層体によれば、点光源からの光照射を受ける場合には、エンボスホログラム部により光像が再生され、点光源からの光照射を受けない場合には、透明印刷部による意匠が表示される。したがって、点光源の有無に応じて多彩な意匠性を有するホログラム体とすることができる。しかしながら、この積層体では、２つの意匠性を設けるために、２つの光学機構、すなわちエンボスホログラム部と透明印刷部とをそれぞれ用意する必要があった。
【０００９】
本発明は、このような点を考慮してなされたものである。本発明の目的は、単純な構成でありながら、点光源またはレーザー光源の有無に応じて多彩な表示性を有する表示物、ならびに当該表示物を備えたセキュリティ媒体、窓、および照明器具を提供することにある。
【課題を解決するための手段】
【００１０】
本発明による表示物は、
複数の表示領域を備え、
互いに隣り合う表示領域は、平均色相、平均明度、および平均彩度のうち少なくとも１つが異なり、前記複数の表示領域の組み合わせで第１表示対象が形成されるようになっており、
少なくとも１つの表示領域は、点光源またはレーザー光源から入射する光を第２表示対象へ変換するフーリエ変換ホログラムを含む。
本発明による表示物において、前記フーリエ変換ホログラムは、振幅型ホログラムであってもよい。
本発明による表示物において、前記表示領域の数は、３つ以上であってもよい。
本発明によるセキュリティ媒体は、上述した本発明による表示物のいずれかを備える。
本発明による窓は、上述した本発明による表示物のいずれかを備える。
本発明による照明器具は、上述した本発明による表示物のいずれかを備える。
【発明の効果】
【００１１】
本発明によれば、単純な構成でありながら、点光源またはレーザー光源の有無に応じて多彩な意匠性を有することができる。
また、本発明のセキュリティ媒体によれば、極めて高いセキュリティ性を確保することができる。
【図面の簡単な説明】
【００１２】
【図１】図１（ａ）は、本発明の一実施の形態による表示物を示す平面図である。図１（ｂ）は、図１（ａ）の表示物における一の表示領域の一部を拡大して示す図である。図１（ｃ）は、図１（ａ）の表示物における別の表示領域の一部を拡大して示す図である。
【図２】図２は、図１（ａ）の表示物のＡ−Ａ線に沿って切断した断面を示す図である。
【図３】図３は、面光源からの光を用いて図１（ａ）の表示物が表示する表示対象を説明するための図である。
【図４Ａ】図４は、点光源からの光を用いて図１（ａ）の表示物が表示する表示対象を説明するための図である。
【図４Ｂ】図４Ｂは、レーザー光源からの光を用いて図１（ａ）の表示物が表示する表示対象を説明するための図である。
【図５】図５（ａ）〜（ｄ）は、図１（ａ）の表示物の作成方法を説明するための図である。
【図６】図６（ａ）〜（ｆ）は、図１（ａ）の表示物の作成方法を説明するための図である。
【図７】図７（ａ）〜（ｃ）は、図１（ａ）〜（ｃ）に対応する図であって、表示物の一変形例を説明するための図である。
【図８】図８は、拡散光のもとで図１（ａ）の表示物の一変形例が表示する表示対象を説明するための図である。
【図９】図９は、レーザー光源からの光を用いて図１（ａ）の表示物の一変形例が表示する表示対象を説明するための図である。
【図１０】図１０は、図１（ａ）の表示物を備えたセキュリティ媒体の一例を示す図である。
【図１１】図１１（ａ）、（ｂ）は、図１（ａ）の表示物を備えた窓の一例を示す図である。
【図１２】図１２（ａ）、（ｂ）は、図１（ａ）の表示物を備えた照明器具の一例を示す図である。
【発明を実施するための形態】
【００１３】
以下に、添付の図面を参照して、本発明の実施の形態を詳細に説明する。なお、本明細書に添付する図面においては、図示の理解のしやすさの便宜上、適宜縮尺および縦横の寸法比等を、実物のそれらから変更し誇張してある。
【００１４】
図１（ａ）は、本発明の一実施の形態による表示物を示す平面図である。図１（ｂ）は、図１（ａ）の表示物における一の表示領域の一部を拡大して示す図である。図１（ｃ）は、図１（ａ）の表示物における別の表示領域の一部を拡大して示す図である。図２は、図１（ａ）の表示物のＡ−Ａ線に沿って切断した断面を示す図である。
【００１５】
図１（ａ）〜（ｃ）および図２に示すように、本実施の形態による表示物１０は、透明基材１１と、透明基材１１上に設けられた複数（図視された例では、４つ）の表示領域１２、１３ａ〜１３ｃと、を備えている。
【００１６】
このうち透明基材１１は、複数の表示領域１２、１３ａ〜１３ｃを支持するためのものである。ここで、透明基材１１における「透明」とは、「半透明」を含むものであり、点光源からの光を透過させることが可能な程度の透明性を有することをいう。
【００１７】
透明基材１１は、可視光領域における透過率（以下、光透過率と称する場合がある）が、高いものほど好ましく、具体的には、例えば、光透過率が８０％以上であることが好ましく、中でも９０％以上であることがより好ましい。透明基材１１の光透過率を上述の範囲内とすることにより、各表示領域１２、１３ａ〜１３ｃまで光を十分に透過させることができ、各表示領域１２、１３ａ〜１３ｃが表示する表示対象が視認されやすくなるからである。なお、本明細書において「光透過率」とは、ＪＩＳ  Ｋ７３６１−１により測定した値をいう。
【００１８】
また、透明基材１１は、ヘイズ値が低いものほど好ましく、具体的には、例えば、ヘイズ値が０．０１％〜５％の範囲内にあるものが好ましく、中でも０．０１％〜３％の範囲内であるものが好ましく、特に０．０１％〜１．５％の範囲内であるものが好ましい。透明基材１１のヘイズ値を上述の範囲内とすることにより、視認性を阻害すること無く、各表示領域１２、１３ａ〜１３ｃにおける表示対象の表示が可能となるからである。なお、本明細書において「ヘイズ値」とは、ＪＩＳ  Ｋ７１３６に準拠して測定した値をいう。
【００１９】
透明基材１１の材料としては、上述の光透過率およびヘイズ値を示すものであれば特に限定されるものではなく、例えばポリエチレンテレフタレート、ポリカーボネート、アクリル樹脂、シクロオレフィン樹脂、ポリエステル樹脂、ポリスチレン樹脂、アクリルスチレン樹脂等の樹脂フィルム、石英硝子、パイレックス（登録商標）、合成石英板等のガラスを用いることができる。中でも、透明基材１１としては、軽量かつ破損等の危険性が少ないという点から、樹脂フィルムを用いることが好ましく、複屈折性の面からポリカーボネートが最適である。
【００２０】
透明基材１１は、難燃剤を含んでいてもよい。照明器具等の難燃性が求められる用途においても本実施の形態による表示物１０を用いることができるからである。難燃剤としては、例えば、リン系難燃剤、窒素系難燃剤、金属塩系難燃剤、水酸化物系難燃剤、アンチモン系難燃剤等の無機系難燃剤、シリコーン系難燃剤等の任意の難燃剤を用いることができる。なお、難燃剤の添加量については、透明基材１１が所望の光透過性およびヘイズ値を示すことが可能な量であればよく、適宜設定することができる。
【００２１】
また、透明基材１１は、紫外線吸収剤、熱線吸収剤等を含むものであってもよい。紫外線および熱線等が当たることにより表示領域１２、１３ａ〜１３ｃの劣化が生じることを抑制するとともに、本実施の形態による表示物１０を紫外線吸収フィルタや熱線カットフィルタ等として用いることができるからである。
【００２２】
透明基材１１の膜厚としては、表示領域１２、１３ａ〜１３ｃ等を支持するための剛性および強度を有することが可能な厚さであればよく、例えば０．００５ｍｍ〜５ｍｍ程度であることが好ましく、中でも０．０２ｍｍ〜１ｍｍの範囲内であることが好ましい。また、透明基材１１の形状は、特に限定されるものではなく、表示物１０の使用形態に応じて適宜選択することができる。
【００２３】
透明基材１１は、他の層との密着性を向上させるために、例えば表面にコロナ処理等が行われていてもよい。
【００２４】
次に、表示領域１２、１３ａ〜１３ｃの構造について説明する。以下の説明では、各表示領域１２、１３ａ〜１３ｃを、第１〜第４表示領域１２、１３ａ〜１３ｃと呼称することがある。
【００２５】
図１（ａ）に示すように、複数の表示領域１２、１３ａ〜１３ｃのうち互いに隣り合う表示領域は、平均色相、平均明度、および平均彩度のうち少なくとも１つが異なっており、複数の表示領域１２、１３ａ〜１３ｃの組み合わせで第１表示対象２１が形成されるようになっている。
【００２６】
ここで、各表示領域１２、１３ａ〜１３ｃにおける平均色相、平均明度、および平均彩度は、厳密には、色彩計または分光測色計を用いて、対象となる表示領域内における全ての点について色相、明度、および彩度を調べてその平均値を算出することになる。ただし、実際的には、調査すべき対象（色相、明度、および彩度）の全体的な傾向を反映し得ると期待される面積を持つ一区画内において、調査すべき対象のばらつきの程度を考慮して適当と考えられる数を調べてその平均値を算出することによって特定することができる。例えば、対象となる１つの表示領域１２、１３ａ〜１３ｃにおいて３０ｍｍ×３０ｍｍの領域内に含まれる３０箇所を色彩計または分光測色計により測定して平均を算出することにより、当該表示領域１２、１３ａ〜１３ｃの平均色相、平均明度、および平均彩度を特定することができる。
【００２７】
互いに隣り合う表示領域における平均色相、平均明度、または平均彩度の差は、観察者が互いに隣り合う表示領域を区別して視認できる程度であればよく、表示すべき第１表示対象２１の内容に応じて適宜決定することができる。具体的には、例えば、ＪＩＳ  Ｚ８７８１−４：２０１３に規定されたＬ＊ａ＊ｂ＊表色系における色差ΔＥ＊ａｂが２以上異なる色とすることができる。
【００２８】
図示された例では、第１〜第４表示領域１２、１３ａ〜１３ｃの組み合わせで、人の顔のイラストを表す第１表示対象２１が形成されるようになっている。より詳しくは、第１表示領域１２は、円形状を有しており、平均色相は黄色である。第１表示領域１２は、第１表示対象２１において、人の顔の輪郭に対応している。第２表示領域１３ａおよび第３表示領域１３ｂは、第１表示領域１２よりも小さい円形状を有しており、平均色相は赤色である。第２表示領域１３ａおよび第３表示領域１３ｂは、第１表示領域１２の内側に左右に並んで配置されており、第１表示対象２１において、人の顔の左右の目に対応している。第４表示領域１３ｃは、楕円形状を有しており、平均色相は赤色である。第４表示領域１３ｃは、第１表示領域１２の内側であって第２表示領域１３ａおよび第３表示領域１３ｂの下方に左右に延びるように配置されており、第１表示対象２１において、人の顔の口に対応している。
【００２９】
なお、複数の表示領域１２、１３ａ〜１３ｃの組み合わせで形成される第１表示対象２１の内容としては、特に限定されるものではなく、例えば、文字、記号、マーク、イラスト、キャラクター、写真等の絵柄、会社名、商品名、セールスポイント、キャッチコピー、取扱説明等の各種文字情報等を挙げることができる。
【００３０】
また、表示領域１２、１３ａ〜１３ｃの数は、特に限定されるものではないが、表示領域１２、１３ａ〜１３ｃの数が大きいほど第１表示対象２１として複雑な意匠を表示することができるため、表示領域１２、１３ａ〜１３ｃの数は、３つ以上であることが好ましい。
【００３１】
図１（ｂ）及び図１（ｃ）に示すように、少なくとも１つの表示領域（図示された例では、全ての表示領域１２、１３ａ〜１３ｃ）は、点光源から入射する光を第２表示対象へ変換するフーリエ変換ホログラム２０Ｒ、２０Ｙを含んでいる。
【００３２】
本実施の形態では、フーリエ変換ホログラム２０Ｒ、２０Ｙは、計算機合成ホログラム（ＣＧＨ）であり、第２表示対象の原画の画像データをもとに形成される２値以上（２値、４値、８値、…）に多値化されたフーリエ変換像を、縦横方向に所望の範囲まで複数個配列させたときの、フーリエ変換像のパターンに相当するものである。
【００３３】
第２表示対象の内容としては、特に限定されるものではなく、例えば、文字、記号、マーク、イラスト、キャラクター、写真等の絵柄、会社名、商品名、セールスポイント、キャッチコピー、取扱説明等の各種文字情報等を挙げることができる。
【００３４】
本実施の形態では、フーリエ変換ホログラム２０Ｒ、２０Ｙは、透過型の振幅型ホログラムである。すなわち、フーリエ変換ホログラム２０Ｒ、２０Ｙには、干渉縞の明暗の強度分布が濃淡の変化として記録されており、光の透過率の変化によって回折を生じさせ、第２表示対象をなす再生像を形成するようになっている。
【００３５】
フーリエ変換ホログラム２０Ｒ、２０Ｙの材料としては、たとえば、感光性樹脂と着色剤とを含むカラーレジスト材料を用いることができる。このカラーレジスト材料は、光透過率が透明基材１１の光透過率より低くなっており、透明基材１１上におけるカラーレジスト材料の有無に応じて濃淡の変化が生じるようになっている。カラーレジスト材料１１は、光透過率がゼロ、すなわち不透明であってもよい。
【００３６】
感光性樹脂としては、例えば、アクリル系樹脂、ポリウレターン系樹脂、ポリエステル系樹脂、フッ素系樹脂、シリコーン系樹脂、エポキシ系樹脂、ポリオレフィン系樹脂、メラミン樹脂、塩化ビニル−酢酸ビニル共重合体等が挙げられる。また、着色剤としては、例えば、無機顔料および有機顔料等の顔料、酸性染料、直接染料、分散染料、油溶性染料、含金属油溶性染料、および昇華性色素等の染料等が挙げられる。
【００３７】
カラーレジスト材料は、難燃剤を含んでいてもよい。照明器具等の難燃性が求められる用途においても本実施の形態による表示物１０を用いることができるからである。難燃剤の種類については、上述の透明基材１１で用いられる難燃剤と同じであり、説明を省略する。なお、難燃剤の添加量については、フーリエ変換ホログラム２０Ｒ、２０Ｙの光学特性を損なわない量であればよく、適宜設定することができる。
【００３８】
上記表示領域１２、１３ａ〜１３ｃの膜厚としては特に限定されず、例えば０．１μｍ〜５０μｍ程度とすることができる。
【００３９】
次に、図５および図６を参照して、このような構成からなる表示物１０の作成方法の一例を説明する。
【００４０】
まず、図５（ａ）に示すように、第２表示対象２２の原画を用意する。図示された例では、第２表示対象２２として、星形のマークが用いられる。
【００４１】
次に、図５（ｂ）に示すように、原画のフーリエ変換像２０を、計算機を用いたＦＦＴ（Fast Fourier Transform）等の計算により作成する。図示された例では、フーリエ変換像は２値化されたフーリエ変換像であるが、２値より大きい値（４値、８値、…）に多値化されたフーリエ変換像であってもよい。また、図示された例では、フーリエ変換像において、隣り合う干渉縞の中心間距離（ピッチ）に対する１本の干渉縞の幅の比が、５０％に設定されているが、５０％より小さく設定されていてもよいし、５０％より大きく設定されていてもよい。窓や照明器具等の光透過性が求められる用途においては、隣り合う干渉縞の中心間距離（ピッチ）に対する１本の干渉縞の幅の比が小さいほど、表示領域の平均明度が大きくなるため、好ましい。
【００４２】
次に、図５（ｃ）に示すように、作成されたフーリエ変換像２０を用いて、平均色相、平均明度、および平均彩度のうち少なくとも１つが異なる表示領域１２、１３ａ〜１３ｃの組ごとに異なるフォトマスク４１、４２を形成する。図示された例では、第１表示領域１２用のフォトマスク４１として、第１表示領域１２に対応する領域４１Ｐにフーリエ変換像２０からなる干渉縞パターンが縦横方向に複数個配列され、その他の領域は一様に開口されたフォトマスクを作成する。また、第２〜第４表示領域１３ａ〜１３ｃ用のフォトマスク４２として、第２表示領域１３ａ〜１３ｃに対応する領域４２Ｐにフーリエ変換像２０からなる干渉縞パターンが縦横方向に複数個配列され、その他の領域は一様に開口されたフォトマスクを作成する。
【００４３】
次に、図６（ａ）に示すように、透明基材１１上に、黄色の着色剤を含むポジ型のカラーレジスト材料１４Ｙを塗布する。
【００４４】
次に、図６（ｂ）に示すように、第１表示領域１２用のフォトマスク４１を透明基材１１上のカラーレジスト材料１４Ｙと対向するように配置し、当該フォトマスク４１を介して紫外線を照射してカラーレジスト材料１４Ｙを露光する。
【００４５】
次に、図６（ｃ）に示すように、カラーレジスト材料１４Ｙのうち紫外線により露光された部分を現像液に溶解させて除去した後、透明基材１１上に残ったカラーレジスト１４Ｙを加熱して硬化させる。これにより、フーリエ変換ホログラム２０Ｙを含む第１表示領域１２が形成される。
【００４６】
次に、図６（ｄ）に示すように、透明基材１１上に、赤色の着色剤を含むポジ型のカラーレジスト材料１４Ｒを塗布する。
【００４７】
次に、図６（ｅ）に示すように、第２〜第４表示領域１３ａ〜１３ｃ用のフォトマスク４２を透明基材１１上のカラーレジスト材料１４Ｒと対向するように配置し、当該フォトマスク４２を介して紫外線を照射してカラーレジスト材料１４Ｒを露光する。
【００４８】
次に、図６（ｆ）に示すように、カラーレジスト材料１４Ｒのうち紫外線により露光された部分を現像液に溶解させて除去した後、透明基材１１上に残ったカラーレジスト材料１４Ｒを加熱して硬化させる。これにより、フーリエ変換ホログラム２０Ｒを含む第２〜第４表示領域１３ａ〜１３ｃが形成される。
【００４９】
このようにして、図１（ａ）〜（ｃ）および図２に示すような表示物１０を得ることができる。
【００５０】
次に、図３および図４を参照して、本実施の形態の作用について説明する。
【００５１】
図３は、面光源３１からの光を用いて表示物１０が表示する第１表示対象２１を説明するための図である。図４Ａは、点光源３２からの光を用いて表示物１０が表示する第２表示対象２２を説明するための図である。図４Ｂは、レーザー光源３３からの光を用いて表示物１０が表示する第２表示対象２２を説明するための図である。
【００５２】
図３に示すように、観察者３５が蛍光灯等の面光源３１からの光照射を受けた表示物１０を観察する場合、複数の表示領域１２、１３ａ〜１３ｃの組み合わせで形成される巨視的な（表示領域全体と同じスケールの）第１表示対象２１を視認することができる。この時、各表示領域１２、１３ａ〜１３ｃに含まれるフーリエ変換ホログラム２０Ｒ、２０Ｙにおいては、面光源の各点から出射したそれぞれの光に対して第２表示対象２２への変換が起こることから、第２表示対象２２の光像が面光源の形状全体にわたって重畳され、非光像となる。このため、表示物１０上には第２表示対象２２の光像が発現されず、観察者３５は微視的な（各表示領域より小さいスケールの）第２表示対象２２を視認することができない。
【００５３】
一方、図４Ａに示すように、観察者３５がＬＥＤ光源等の点光源３２からの光照射を受けた表示物１０を観察する場合、１つの表示領域１２、１３ａ〜１３ｃに含まれるフーリエ変換ホログラム２０Ｒ、２０Ｙにおける入射光の変換により表示物１０上に第２表示対象２２の光像が発現され、観察者は微視的な第２表示対象２２を視認することができる。
【００５４】
また、図４Ｂに示すように、観察者３５がレーザー光源３３からの光照射を受けた表示物１０の透過光を観察する場合、１つの表示領域１２、１３ａ〜１３ｃに含まれるフーリエ変換ホログラム２０Ｒ、２０Ｙにおける入射光の変換により、その透過光の照射面上に第２表示対象２２の光像が発現され、観察者は微視的な第２表示対象２２を視認することができる。
【００５５】
以上のように本実施の形態によれば、複数の表示領域１２、１３ａ〜１３ｃの組み合わせで第１表示対象２１が形成されるようになっており、少なくとも１つの表示領域１２、１３ａ〜１３ｃは、点光源３２またはレーザー光源３３から入射する光を第２表示対象２２へ変換するフーリエ変換ホログラム２０Ｒ、２０Ｙを含んでいる。したがって、１組の表示領域１２、１３ａ〜１３ｃでありながら、点光源３２またはレーザー光源３３の無い場所においては巨視的な第１表示対象２１を表示し、点光源３２またはレーザー光源３３が有る場所においては微視的な第２表示対象２２を表示することができる。これにより、単純な構成でありながら、点光源３２またはレーザー光源３３の有無に応じて多彩な意匠性を有することができる。
【００５６】
なお、上述した本実施の形態に対して様々な変更を加えることが可能である。以下、図面を参照しながら、変形例について説明する。以下の説明および以下の説明で用いる図面では、上述した本実施の形態と同様に構成され得る部分について、上述の実施の形態における対応する部分に対して用いた符号と同一の符号を用いることとし、重複する説明を省略する。また、上述した実施の形態において得られる作用効果が変形例においても得られることが明らかである場合、その説明を省略することもある。
【００５７】
図１（ａ）〜（ｃ）に示す例では、互いに隣り合う表示領域において、フーリエ変換ホログラム２０Ｒ、２０Ｙをなす材料自体の色相、明度、または彩度が異なることで、隣り合う表示領域の平均色相、平均明度、または平均明度が異なるように構成されていたが、これに限定されない。例えば、図７（ａ）〜（ｃ）に示すように、互いに隣り合う表示領域において、フーリエ変換ホログラム２０Ｂ、２０Ｆをなす材料自体の色相、明度、および彩度は同一でありながら、隣り合う干渉縞の中心間距離（ピッチ）に対する１本の干渉縞の幅の比が異なることで、隣り合う表示領域の平均明度が異なるように構成されていてもよい。具体的には、例えば、図７（ｂ）に示すフーリエ変換ホログラム２０Ｂでは、隣り合う干渉縞の中心間距離（ピッチ）に対する１本の干渉縞の幅の比が５０％より大きくされており、これにより第２〜第４表示領域１３ａ〜１３ｃの平均明度が低減されている。一方、図７（ｃ）に示すフーリエ変換ホログラム２０Ｆでは、隣り合う干渉縞の中心間距離（ピッチ）に対する１本の干渉縞の幅の比が５０％より小さくされており、これにより第１表示領域１２の平均明度が増大されている。この場合、互いに隣り合う表示領域の色相は、同じであってもよいし、異なっていてもよい。
【００５８】
図７（ａ）〜（ｃ）に示すような態様によっても、上記実施の形態と同様の作用効果が得られる。
【００５９】
また、上記実施の形態の干渉縞パターンでは、透明基材１１上におけるカラーレジスト材料の有無に応じて濃淡の変化（透過率の変化）が生じるようになっていたが、これに限定されず、カラーレジスト材料の濃度や厚みの違いにより濃淡の変化（透過率の変化）が生じるようになっていてもよい。
【００６０】
また、上記実施の形態では、フーリエ変換ホログラム２０Ｒ、２０Ｙ、２０Ｂ、２０Ｆは、透過型ホログラムであったが、これに限定されず、反射型ホログラムであってもよい。この場合、図８に示すように、天井照明や太陽光等の拡散光のもとで表示物１０を観察すると、複数の表示領域１２、１３ａ〜１３ｃの組み合わせで形成される巨視的な第１表示対象２１を視認することができる。一方、図９に示すように、レーザー光源３３からの光照射を受けた表示物１０の反射光を観察すると、１つの表示領域１２、１３ａ〜１３ｃに含まれるフーリエ変換ホログラム２０Ｒ、２０Ｙにおける入射光の変換により表示物１０上に第２表示対象２２の光像が発現され、観察者は微視的な第２表示対象２２を視認することができる。
【００６１】
次に、上記実施の形態による表示物１０の応用例について説明する。
【００６２】
図１０は、上記実施の形態の表示物１０を備えたセキュリティ媒体５１の一例を示している。ここで、セキュリティ媒体５１とは、高いセキュリティの確保が求められる情報記憶媒体を意味し、たとえば、パスポートや免許証等のＩＤ証、キャッシュカードやクレジットカード等のカード媒体等が含まれる。
【００６３】
図１０に示す例では、セキュリティ媒体５１は、パスポート等のＩＤ証であり、上記実施の形態による表示物１０を含んでいる。この表示物１０は、第１表示対象２１および第２表示対象２２として、ＩＤ証の持ち主の顔写真を表示するようになっている。
【００６４】
図１０に示すセキュリティ媒体５１では、天井照明や太陽光等の拡散光のもとで表示物１０を観察する場合、観察者は、複数の表示領域の組み合わせで表示される第１表示対象２１を視認することができる。
【００６５】
一方、レーザー光源３３からレーザー光Ｌを表示物１０に照射する場合、表示領域に含まれるフーリエ変換ホログラムがレーザー光Ｌを第２表示対象２２へ変換する。したがって、観察者は、第２表示対象２２の光像を視認することができる。また、ＬＥＤ等の点光源と観察者との間にセキュリティ媒体５１を配置し、セキュリティ媒体５１に含まれる表示物１０を透かして点光源を観察する場合も、観察者は点光源からの照射光により表示物１０が表示する第２表示対象２２を視認することができる。
【００６６】
このように、セキュリティ媒体５１を観察する観察者は、点光源またはレーザー光源の有無に応じて第１表示対象２１および第２表示対象２２をそれぞれ視認することができる。したがって、観察者は、第１表示対象２１および第２表示対象２２の対応関係を確認することで、顔写真の偽造等の被害を防止することが可能であり、特にＩＤ証の場合には、セキュリティ性の高い本人確認を行うことができる。また、第１表示対象２１の表示と第２表示対象２２の表示とを同一の干渉縞により表現しているため、書き換えが困難である（たとえば、第１表示対象２１を偽造しても、第２表示対象２２の表示を伴わないことになる）。したがって、極めて高いセキュリティ性を確保することができる。
【００６７】
図１１（ａ）および図１１（ｂ）は、上記実施の形態の表示物１０を備えた窓５２の一例を示している。
【００６８】
図１１（ａ）および図１１（ｂ）に示す窓５２は、ステンドグラスであり、上記実施の形態による表示物１０を含んでいる。この表示物１０は、第１表示対象２１として植物の絵柄を表示し、第２表示対象として顔のイラストを表示するようになっている。
【００６９】
図１１（ａ）に示すように、窓５２を日中に屋内から観察する観察者３５は、太陽光からの照射光により表示物１０が表示する第１表示対象２１を視認することができる。
【００７０】
一方、図１１（ｂ）に示すように、窓５２を夜間に屋内から観察する観察者３５は、星が点光源として機能することで、星からの照射光により表示物１０が表示する第２表示対象２２を視認することができる。また、図示は省略するが、屋内から屋外を観察する場合には、星以外にも夜景や街灯、車のライトなどの屋外の点光源からの照射光によっても、第２表示対象２２を視認することができる。また、屋外から屋内を観察する場合には、ＬＥＤ照明やキャンドル等の点光源からの照射光によっても、第２表示対象２２を視認することができる。
【００７１】
このように、窓５２を観察する観察者は点光源の有無に応じて第１表示対象２１および第２表示対象２２を視認することができる。したがって、観察者は、電力等のエネルギーを消費することなく、時間の経過に応じて多彩な意匠を楽しむことができる。
【００７２】
図１２（ａ）および図１２（ｂ）は、上記実施の形態の表示物１０を備えた照明器具５３の一例を示している。
【００７３】
図１２（ａ）および図１２（ｂ）に示す照明器具５３は、卓上ランプであり、上記実施の形態による表示物１０を含んでいる。この表示物１０は、照明器具５３のランプシェードに設けられており、第１表示対象２１として植物の絵柄を表示し、第２表示対象２２として星のマークを表示するようになっている。
【００７４】
また、この照明器具５３では、ランプシェードの内側に、蛍光灯等の拡散光源（大きさを持つ光源）とＬＥＤ等の点光源とが配置されており、互いにスイッチで切り替えて点灯できるようになっている。
【００７５】
図１２（ａ）に示すように、照明器具５３において拡散光源を点灯する場合、観察者は拡散光源からの照射光により表示物１０が表示する第１表示対象２１を視認することができる。
【００７６】
一方、図１２（ｂ）に示すように、照明器具５３において点光源を点灯する場合、観察者は点光源からの照射光により表示物１０が表示する第２表示対象２２を視認することができる。
【００７７】
このように、観察者は点光源の有無に応じて第１表示対象２１および第２表示対象２２を視認することができる。したがって、観察者は、１つの照明器具５３でありながらスイッチを切り替えることで、任意のタイミングに多彩な意匠を楽しむことができる。
【００７８】
なお、上述した個々の実施の形態により開示する発明が限定されるものではない。各実施の形態は、処理内容を矛盾させない範囲で適宜組み合わせることが可能である。
【符号の説明】
【００７９】
１０    表示物
１１    透明基材
１２    表示領域
１３ａ  表示領域
１３ｂ  表示領域
１３ｃ  表示領域
１４Ｒ  カラーレジスト材料
１４Ｙ  カラーレジスト材料
２０    フーリエ変換ホログラム
２０Ｒ  フーリエ変換ホログラム
２０Ｙ  フーリエ変換ホログラム
２０Ｂ  フーリエ変換ホログラム
２０Ｆ  フーリエ変換ホログラム
２１    第１表示対象
２２    第２表示対象
３１    面光源
３２    点光源
３３    レーザー光源
４１    フォトマスク
４１Ｐ  第１表示領域に対応する領域
４２    フォトマスク
４２Ｐ  第２〜第４表示領域に対応する領域
５１    セキュリティ媒体
５２    窓
５３    照明器具
【図２】
2016085355.tif 000003
【図４Ａ】
2016085355.tif 000004
【図４Ｂ】
2016085355.tif 000005
【図６】
2016085355.tif 000006
【図９】
2016085355.tif 000007
【図１２】
2016085355.tif 000008
【図１】
2016085355.tif 000009
【図３】
2016085355.tif 000010
【図５】
2016085355.tif 000011
【図７】
2016085355.tif 000012
【図８】
2016085355.tif 000013
【図１０】
2016085355.tif 000014
【図１１】
2016085355.tif 000015